(57)【要約】【課題】型枠内上方に鉄筋を配筋可能と成したコンクリート製品を製造する。【解決手段】型枠Ｗ内に配筋される平面視格子状鉄筋Ｇの交差部に鉄筋間隔保持具本体１を装着し、該本体１より上方延出形成した吊り手部11を、型枠Ｗの上方開口部W1を介して対向する上端部Wa、Wb間に着脱自在に横架した支持竿Ｘに装着して型枠Ｗ内に平面視格子状鉄筋Ｇを水平に配筋した後に、型枠Ｗ内にコンクリートを打設し、該コンクリートの養生固化後、コンクリート製品より突出する吊り手部11を切断して支持竿Ｘを型枠Ｗから離脱すると共に、脱型する。【選択図】図４
2014101649.tif 000002
【特許請求の範囲】
【請求項１】
平面視格子状鉄筋の交差部に本体が装着される鉄筋間隔保持具において、型枠の上方開口部を介して対向する上端部間に着脱自在に横架した支持竿に装着して本体を型枠内に垂下させ、脱型時に切断可能な吊り手部を、本体より延出形成したことを特徴とする鉄筋間隔保持具。
【請求項２】
型枠内に配筋される平面視格子状鉄筋の交差部に鉄筋間隔保持具本体を装着し、該本体より上方延出形成した吊り手部を、型枠の上方開口部を介して対向する上端部間に着脱自在に横架した支持竿に装着したことを特徴とする配筋構造。
【請求項３】
型枠内に配筋される平面視格子状鉄筋の交差部に鉄筋間隔保持具本体を装着し、該本体より上方延出形成した吊り手部を、型枠の上方開口部を介して対向する上端部間に着脱自在に横架した支持竿に装着して型枠内に平面視格子状鉄筋を水平に配筋した後に、型枠内にコンクリートを打設し、該コンクリートの養生固化後、コンクリート製品より突出する吊り手部を切断して支持竿を型枠から離脱すると共に、脱型したことを特徴とするコンクリート製品の製造方法。
【発明の詳細な説明】
【技術分野】
【０００１】
本発明は、鉄筋間隔保持具と、これを用いた配筋構造及びコンクリート製品の製造方法に関する。
【背景技術】
【０００２】
特許文献１に開示される鉄筋間隔保持具は、その本体を前後左右に突出した腕部からなる十字状に形成し、本体の前方腕部には、上下に貫通すると共に、一側方を開設した断面Ｃ型筒状の鉄筋嵌着部を設け、左右腕部上には、鉄筋嵌着部に嵌着される縦鉄筋に直交配置した横鉄筋を挟着保持する鉄筋挟持部を設けている。
そして、鉄筋嵌着部に縦鉄筋を嵌着すると共に、鉄筋挟持部に横鉄筋を挟着保持することにより、鉄筋の交差箇所に本体が取付けられ、各腕部にて型枠との間隔を保持し、正確なかぶり厚さを得る。
【先行技術文献】
【特許文献】
【０００３】
【特許文献１】特許第２８５２５００号公報
【発明の概要】
【発明が解決しようとする課題】
【０００４】
しかしながら、上記構成の鉄筋間隔保持具では、例えば型枠の底から腕部長よりもかなり高い位置、言い換えれば型枠においてコンクリートが打設される上方開口部近傍である型枠内上方にのみ鉄筋が配筋される様なコンクリート製品の製造に当たっては、鉄筋をかかる位置に保持できないといった課題を有していた。
そこで、本発明では、型枠内上方に鉄筋を配筋可能と成した鉄筋間隔保持具と、これを用いた配筋構造及びコンクリート製品の製造方法を提供することを目的としている。
【課題を解決するための手段】
【０００５】
上記課題に鑑み、本発明の鉄筋間隔保持具は、平面視格子状鉄筋の交差部に本体が装着されるものであって、型枠の上方開口部を介して対向する上端部間に着脱自在に横架した支持竿に装着して本体を型枠内に垂下させ、脱型時に切断可能な吊り手部を、本体より延出形成したことを特徴とする。
そして、本発明に係る配筋構造では、型枠内に配筋される平面視格子状鉄筋の交差部に鉄筋間隔保持具本体を装着し、該本体より上方延出形成した吊り手部を、型枠の上方開口部を介して対向する上端部間に着脱自在に横架した支持竿に装着したことを特徴とする。
又、本発明に係るコンクリート製品の製造方法では、上記配筋構造によって、型枠内に平面視格子状鉄筋を水平に配筋した後に、型枠内にコンクリートを打設し、該コンクリートの養生固化後、コンクリート製品より突出する吊り手部を切断して支持竿を型枠から離脱すると共に、脱型したことを特徴とする。
【発明の効果】
【０００６】
要するに本発明は、上記構成より成るので、型枠内に配筋される平面視格子状鉄筋の交差部に本体を装着し、該本体より上方延出形成した吊り手部を、型枠の対向する上端部間に着脱自在に横架した支持竿に装着することにより、簡単容易に型枠内の上方に平面視格子状鉄筋を水平にして安定的に配筋保持できる。
そして、上記配筋後に、型枠内にコンクリートを打設し、該コンクリートの養生固化後、コンクリート製品より突出する吊り手部を切断して支持竿を型枠から離脱すると共に、脱型することにより、型枠内上面に対応するコンクリート製品上面より所定のかぶり厚さを以て平面視格子状鉄筋を水平に埋設できる。
よって、本発明によれば、型枠の内底からかなり高い位置となる型枠内上方にのみ鉄筋が配筋される様なコンクリート製品を簡単に製造できる等その実用的効果甚だ大である。
【図面の簡単な説明】
【０００７】
【図１】鉄筋間隔保持具の正面図である。
【図２】図１の右側面図である。
【図３】図１の左側面図である。
【図４】配筋状態を示す簡略断面図である。
【図５】図４のＡーＡ断面図である。
【図６】鉄筋間隔保持具の他例を示す正面図である。
【発明を実施するための形態】
【０００８】
以下本発明の実施の一形態例を図面に基づいて説明する。
本発明に係る鉄筋間隔保持具は、コンクリート製品（図示せず）の型枠Ｗの内底W2からかなり高い位置となる型枠Ｗ内の上方にのみ平面視格子状鉄筋Ｇ（以下格子状鉄筋Ｇと称する。）を安定配置するものであり、この鉄筋間隔保持具の本体１は、上下左右に腕部２〜４を有する十字状に合成樹脂製にて一体形成されている。
【０００９】
下方腕部２は、その基部に前後に貫通すると共に、一側方（図１において右側）を開設した断面Ｃ型筒状の鉄筋嵌着部５を設け、該鉄筋嵌着部５の前端面に下方連続する下方腕部２の下端を左右対称な略五角板状に形成し、該下端後面にはその軸線に沿って所定形状の板状リブ６を突設している。
【００１０】
鉄筋嵌着部５の側方開口部5aは、鉄筋嵌着部５の中心に向かって徐々に狭まる様に形成され、側方開口部5aから鉄筋嵌着部５内へ縦筋G1（格子状鉄筋Ｇの交差する一方の鉄筋）を挿入する時に側方開口部5aはその材質特性により弾性的に拡開する様に成している。
【００１１】
左右腕部３は、先端を先細りと成した同一の帯板状に形成され、その前面適所には縦筋G1に直交状に溶着された横筋G2（格子状鉄筋Ｇの交差する他方の鉄筋）を挟持する左右一対の鉄筋挟持部７を前方突設し、後面にはその軸線に沿って所定形状の板状リブ８を突設している。
【００１２】
鉄筋挟持部７は、上下に横筋G2の直径と同幅の間隔を隔てて一対の支持片7aを腕部３前面上に突設し、該支持片7aの前方を鉄筋挿入口7bと成すと共に、該鉄筋挿入口7bを奥方（後方）へ至るに従い狭める様に略三角形状に形成された鉄筋抜止め用の爪片7cを支持片7a前方の上下食い違い位置に突設している。
そして、横筋挿入口7bの後方に連続した支持片7a間の奥行（後方）空間を横筋G2が受け入れられる横筋挟持穴7dと成している。
【００１３】
上方腕部４は、その基部4aが左右腕部３との交差部から上方延出した短尺な矩形板状に形成され、この基部4aより前方へこれと同肉厚分の段差を以て上方へ同幅の帯板状の延長部4bを連続形成している。
又、上方腕部４は、その前後面の軸線上に所定形状の板状リブ９、9aを突設すると共に、該リブ９、9aを介した延長部4bの左右の夫々には、複数の所定形状の貫通孔10を上下方向に列設している。
【００１４】
上方腕部４（延長部4b）の上端には、これと同肉厚で所定長さの吊り手部11を上方へ延出形成している。
吊り手部11は、後述する様に型枠Ｗの上端部Wa、Wb間に横架した支持竿Ｘに装着して本体１を型枠Ｗ内に垂下させ、脱型時に切断可能と成しており、吊り手部11の上端には支持竿Ｘに装着する様に前後に貫通するＣ型リング状の嵌着部12を設けている。
【００１５】
支持竿Ｘは、型枠Ｗにおいてその上方開口部W1を介して対向する上端部Wa、Wb間に着脱自在に複数本（図示例ではその１本のみ示す。）平行に横架した鉄筋であり、支持竿Ｘは、縦筋G1と平行となる様に設定される。
上端部Wa、Wbの適所には、左右に二股の先端を有する半円弧状の竿受け13ａを上端に設けた支柱13を立設し、該支柱13の竿受け13ａに支持竿Ｘの端部を載置することで上端部Wa、Wb間に着脱自在に横架される。
尚、支柱13の高さは、図示例のものに限定されることなく、適宜高さのものが選択採用される。
【００１６】
そして、上記構成の型枠Ｗ内の上方に配筋される格子状鉄筋Ｇの各交差部の夫々に鉄筋間隔保持具本体１を装着する。
この装着は、鉄筋嵌着部５の側方開口部5aから縦筋G1を挿入すると共に、鉄筋挟持部７の鉄筋挿入口7bより横筋G2を挿入することにより、側方開口部5a及び鉄筋挿入口7bはその材質特性により弾性拡開して各鉄筋G1、G2の夫々を鉄筋嵌着部５及び横筋挟持穴7dの内方へ案内し、各鉄筋G1、G2の通過後は弾性復帰して各鉄筋G1、G2を抜止めすることで成し得る。
【００１７】
この様に格子状鉄筋Ｇの各交差部に装着された本体１より上方へ延出した吊り手部11の嵌着部12を型枠Ｗの対向する上端部Wa、Wb間に横架した支持竿Ｘに装着する。
支持竿Ｘに対する嵌着部12の装着にあっても、嵌着部12の両端部12ａの間隙より支持竿Ｘを挿入することで、その材質特性により両端部12ａ間を弾性拡開して支持竿Ｘ内方へ案内し、支持竿Ｘの通過後は弾性復帰して支持竿Ｘを抜止めすることで成し得る。
これにより、型枠Ｗ内の上方に格子状鉄筋Ｇを水平にして安定的に配筋保持できる。
【００１８】
尚、図４に示す型枠Ｗにおいて、内底W2よりも上方に形成した段部W3には、格子状鉄筋Ｇの交差部に従前の鉄筋間隔保持具Ｍを装着して段部W3と型枠側壁W4との間隔を保持している。
【００１９】
次に、型枠Ｗ内に上方開口部W1よりコンクリート（図示せず）を打設し、該コンクリートの養生固化後、コンクリート製品（上方開口部W1）より突出する吊り手部11を切断し、支持竿Ｘを型枠Ｗから離脱すると共に、脱型する。
これにより、型枠Ｗ内上面に対応するコンクリート製品上面より所定のかぶり厚さを以て格子状鉄筋Ｇが水平に埋設される。
【００２０】
尚、鉄筋間隔保持具本体１の形態は、格子状鉄筋Ｇの交差部を装着できれば何ら限定されない。
又、本実施例にあっては、格子状鉄筋Ｇに本体１を装着してから吊り手部11を支持竿Ｘに装着したものを示したが、吊り手部11を支持竿Ｘに装着してから本体１を格子状鉄筋Ｇに装着しても良い。
この場合、支持竿Ｘに吊るされた本体１を支持竿Ｘに沿ってスライドさせて支持杆Ｘに対する本体１の吊り位置を調整して格子状鉄筋Ｇの交差部に本体１を装着させられる。
【００２１】
したがって、図６に示す他例の様に嵌着部12をＯ型リングと成し、予め支持杆Ｘにスライド自在に外嵌する様にして上記の如く型枠Ｗ内に配筋し、コンクリート製品を製造する様に成しても良い。
尚、図６に示す鉄筋間隔保持具本体１は、吊り手部11を細長く形成し、嵌着部12をＯ型リングとした以外は上記と基本的に構造は同一のため、上記と同一又は相当部分には同じ符号を図６に付し、説明を省略する。
【符号の説明】
【００２２】
１  （鉄筋間隔保持具）本体
11  吊り手部
Ｇ  平面視格子状鉄筋
Ｗ  型枠
W1  上方開口部
Wa  上端部
Wb  上端部
Ｘ  支持竿
【図１】
2014101649.tif 000003
【図２】
2014101649.tif 000004
【図３】
2014101649.tif 000005
【図４】
2014101649.tif 000006
【図５】
2014101649.tif 000007
【図６】
2014101649.tif 000008